(57)【要約】【課題】  画像処理装置の記憶装置に蓄積されている所定の画像種モードで入力された画像データを幅広い用途で利用することができるようにする。【解決手段】  画像処理装置１００の記憶装置５に蓄積されている第１の画像種モードで入力された画像データを、処理条件に従って第２の画像種モードに変換処理し、ネットワークを介して接続された外部機器１９に対して送信する。これにより、外部機器１９においては、画像処理装置１００から所望の画像種モードに変換された画像データを受け取ることができるので、記憶装置５に蓄積されている画像データを幅広い用途で利用することができる。また、記憶装置５に蓄積済みの画像データに対して画像種モードを変換するので、同一画像データにつき複数の人が異なる画像種モードで画像データを受け取ることができる。【選択図】    図５
2005051764.tif 000002
【特許請求の範囲】
【請求項１】
原稿の画像を読み取る画像読取装置と、この読み取った原稿の画像データに基づいて媒体上に画像の形成を行うプリンタエンジンとを備えて、各種の画像種モードに従ったコピー機能を発揮する画像処理装置において、
第１の画像種モードで入力された画像データを記憶装置に蓄積する画像蓄積手段と、
この画像蓄積手段により前記記憶装置に蓄積されている画像データを処理条件に従い第２の画像種モードに変換処理するデータ形式変換手段と、
このデータ形式変換手段により第２の画像種モードに変換処理した画像データを、ネットワークを介して接続された外部機器に対して送信する画像データ配信手段と、
を備えることを特徴とする画像処理装置。
【請求項２】
前記画像蓄積手段により前記記憶装置に蓄積されている画像データは、前記画像読取装置で読み取られた画像に基づいて生成された画像データであってコピー用の画像処理が施されていない画像データである、
ことを特徴とする請求項１記載の画像処理装置。
【請求項３】
前記画像蓄積手段により前記記憶装置に蓄積されている画像データは、前記プリンタエンジンでの画像形成に用いられる画像であってコピー用の画像処理が施されている画像形成イメージである、
ことを特徴とする請求項１記載の画像処理装置。
【請求項４】
前記処理条件は、前記外部機器から指定される、
ことを特徴とする請求項１ないし３のいずれか一記載の画像処理装置。
【請求項５】
前記処理条件及び前記データ形式変換手段により第２の画像種モードに変換処理した画像データの送信先である前記外部機器は、本装置に設けられている操作部から指定される、
ことを特徴とする請求項１ないし３のいずれか一記載の画像処理装置。
【請求項６】
前記データ形式変換手段は、画像データの強弱を調整するフィルタ処理手段と、画像データの濃度特性を調整するγ処理手段とを備え、
前記処理条件に応じた係数を選択して前記フィルタ処理手段と前記γ処理手段とを実行することにより、第１の画像種モードで入力された画像データを第２の画像種モードに変換する、
ことを特徴とする請求項１ないし５のいずれか一記載の画像処理装置。
【請求項７】
前記データ形式変換手段は、前記画像蓄積手段により前記記憶装置に蓄積されている画像データの解像度を変換するための解像度変換手段を備えている、
ことを特徴とする請求項１ないし６のいずれか一記載の画像処理装置。
【請求項８】
前記データ形式変換手段は、前記画像蓄積手段により前記記憶装置に蓄積されている画像データの階調値を変換するための中間調処理手段を備えている、
ことを特徴とする請求項１ないし７のいずれか一記載の画像処理装置。
【請求項９】
前記データ形式変換手段は、前記画像蓄積手段により前記記憶装置に蓄積されている画像データのファイルフォーマットを変換するための圧縮手段を備えている、
ことを特徴とする請求項１ないし８のいずれか一記載の画像処理装置。
【請求項１０】
原稿の画像を読み取る画像読取装置と、この読み取った原稿の画像データに基づいて媒体上に画像の形成を行うプリンタエンジンとを備えて、各種の画像種モードに従ったコピー機能を発揮する画像処理装置を制御するコンピュータに読取可能なプログラムにおいて、
第１の画像種モードで入力された画像データを記憶装置に蓄積する画像蓄積機能と、
この画像蓄積機能により前記記憶装置に蓄積されている画像データを処理条件に従い第２の画像種モードに変換処理するデータ形式変換機能と、
このデータ形式変換機能により第２の画像種モードに変換処理した画像データを、ネットワークを介して接続された外部機器に対して送信する画像データ配信機能と、
を前記コンピュータに実行させることを特徴とするプログラム。
【請求項１１】
前記画像蓄積機能により前記記憶装置に蓄積されている画像データは、前記画像読取装置で読み取られた画像に基づいて生成された画像データであってコピー用の画像処理が施されていない画像データである、
ことを特徴とする請求項１０記載のプログラム。
【請求項１２】
前記画像蓄積機能により前記記憶装置に蓄積されている画像データは、前記プリンタエンジンでの画像形成に用いられる画像であってコピー用の画像処理が施されている画像形成イメージである、
ことを特徴とする請求項１０記載のプログラム。
【請求項１３】
前記処理条件は、前記外部機器から指定される、
ことを特徴とする請求項１０ないし１２のいずれか一記載のプログラム。
【請求項１４】
前記処理条件及び前記データ形式変換手段により第２の画像種モードに変換処理した画像データの送信先である前記外部機器は、本装置に設けられている操作部から指定される、
ことを特徴とする請求項１０ないし１２のいずれか一記載のプログラム。
【請求項１５】
前記データ形式変換機能は、画像データの強弱を調整するフィルタ処理機能と、画像データの濃度特性を調整するγ処理機能とを有し、
前記処理条件に応じた係数を選択して前記フィルタ処理機能と前記γ処理機能とを前記コンピュータに実行させることにより、第１の画像種モードで入力された画像データを第２の画像種モードに変換する、
ことを特徴とする請求項１０ないし１４のいずれか一記載のプログラム。
【請求項１６】
前記データ形式変換機能は、前記画像蓄積機能により前記記憶装置に蓄積されている画像データの解像度を変換するための解像度変換機能を前記コンピュータに実行させる、
ことを特徴とする請求項１０ないし１５のいずれか一記載のプログラム。
【請求項１７】
前記データ形式変換機能は、前記画像蓄積機能により前記記憶装置に蓄積されている画像データの階調値を変換するための中間調処理機能を前記コンピュータに実行させる、
ことを特徴とする請求項１０ないし１６のいずれか一記載のプログラム。
【請求項１８】
前記データ形式変換機能は、前記画像蓄積機能により前記記憶装置に蓄積されている画像データのファイルフォーマットを変換するための圧縮機能を前記コンピュータに実行させる、
ことを特徴とする請求項１０ないし１７のいずれか一記載のプログラム。
【請求項１９】
請求項１０ないし１８のいずれか一記載のプログラムを記憶していることを特徴とするコンピュータに読取可能な記憶媒体。
【請求項２０】
原稿の画像を読み取る画像読取装置と、この読み取った原稿の画像データに基づいて媒体上に画像の形成を行うプリンタエンジンとを備えて、各種の画像種モードに従ったコピー機能を発揮する画像処理装置において用いられる画像処理方法であって、
第１の画像種モードで入力された画像データを記憶装置に蓄積する画像蓄積工程と、
この画像蓄積工程により前記記憶装置に蓄積されている画像データを処理条件に従い第２の画像種モードに変換処理するデータ形式変換工程と、
このデータ形式変換工程により第２の画像種モードに変換処理した画像データを、ネットワークを介して接続された外部機器に対して送信する画像データ配信肯定と、
をコンピュータの処理制御により行なうことを特徴とする画像処理方法。
【発明の詳細な説明】
【技術分野】
【０００１】
本発明は、画像処理装置、プログラム、コンピュータに読取可能な記憶媒体及び画像処理方法に関する。
【背景技術】
【０００２】
ネットワークにデジタル複写機や画像読取装置を接続し、このデジタル複写機や画像読取装置のスキャナで原稿画像をスキャンして、読み取った画像データをネットワークに接続されたコンピュータ等の端末に配信する、ネットワークスキャナという機能が知られている。
【０００３】
例えば、特許文献１には、汎用コンピュータシステムのアーキテクチャをベースにした拡張ボックスを有し、画像形成装置の画像入力部において、スキャンした画像を拡張ボックス内のハードディスク装置（スキャンボックス）に蓄積し、スキャンボックス内の画像ファイルをネットワークに接続された各コンピュータシステム間で共有することが提案されている。
【０００４】
このスキャンボックス機能を用いる処理手順は以下のようなものである。まず、解像度、階調、倍率、読み込み面、画像サイズ、保存先などのスキャンパラメータを選択し、画像原稿を読み込む。そして、読み込んだ画像データを画像処理部に転送して、スキャンパラメータに従った画像処理を実行する。但し、画像の印刷出力は予定していないので、印刷出力系のデータフォーマットを生成する必要はなく、ＲＧＢ系からＣＭＹＫ系への色座標系変換や階調補正、画像データの圧縮処理は省略される。そして、画像処理後の画像データは拡張ボックスに転送される。拡張ボックスでは、ハードディスク装置内の所定ディスク領域に割り当てられたスキャンボックスに受信した画像データを一時保存し、全ての原稿ページを蓄積し終えると、ネットワークのクライアントがスキャンボックスから画像データを取り出す。
【０００５】
【特許文献１】特開２０００−３３３０２６公報
【発明の開示】
【発明が解決しようとする課題】
【０００６】
しかしながら、特許文献１に開示の技術においては、クライアントが操作部から画像種モード、解像度、階調、倍率、読み込み面、画像サイズ、保存先などのスキャンパラメータを選択した場合、原稿をスキャンし、読み込まれた画像データは画像処理部へ転送し、スキャンパラメータに従った画像処理を実行した後にハードディスクに蓄積されるため、蓄積後の画像データに対して画像フォーマットの変換ができない。そのため、記憶媒体に蓄積されている画像データを複数の人が異なる画像フォーマット条件で受け取りたい場合は、各クライアントの要求条件にあわせてスキャンし直さなければならないという不具合もある。
【０００７】
本発明の目的は、画像処理装置の記憶装置に蓄積されている所定の画像種モードで入力された画像データを幅広い用途で利用することができるようにすることである。
【０００８】
本発明の目的は、同一画像データにつき複数の人が異なる画像種モードで画像データを受け取ることができるようにすることである。
【課題を解決するための手段】
【０００９】
請求項１記載の発明の画像処理装置は、原稿の画像を読み取る画像読取装置と、この読み取った原稿の画像データに基づいて媒体上に画像の形成を行うプリンタエンジンとを備えて、各種の画像種モードに従ったコピー機能を発揮する画像処理装置において、第１の画像種モードで入力された画像データを記憶装置に蓄積する画像蓄積手段と、この画像蓄積手段により前記記憶装置に蓄積されている画像データを処理条件に従い第２の画像種モードに変換処理するデータ形式変換手段と、このデータ形式変換手段により第２の画像種モードに変換処理した画像データを、ネットワークを介して接続された外部機器に対して送信する画像データ配信手段と、を備える。
【００１０】
したがって、記憶装置に蓄積されている第１の画像種モードで入力された画像データが、処理条件に従って第２の画像種モードに変換処理され、ネットワークを介して接続された外部機器に対して送信される。これにより、外部機器においては、画像処理装置から所望の画像種モードに変換された画像データを受け取ることが可能になるので、記憶装置に蓄積されている画像データを幅広い用途で利用することが可能になる。また、記憶装置に蓄積済みの画像データに対して画像種モードを変換するので、同一画像データにつき複数の人が異なる画像種モードで画像データを受け取ることが可能になる。
【００１１】
ここで、画像種モードとは、原稿画像（文書画像や写真画像等）にあわせて最適な画像処理を行なうためのモード設定であり、鉛筆文字や薄い文字をはっきりと再現する「文字モード」、写真を美しく再現する「写真モード」、写真と文字が混在した原稿を再現する「文字写真モード」等がある。
【００１２】
請求項２記載の発明は、請求項１記載の画像処理装置において、前記画像蓄積手段により前記記憶装置に蓄積されている画像データは、前記画像読取装置で読み取られた画像に基づいて生成された画像データであってコピー用の画像処理が施されていない画像データである。
【００１３】
したがって、例えばモノクロの画像データに対する画像種モードの変更に適用可能である。
【００１４】
請求項３記載の発明は、請求項１記載の画像処理装置において、前記画像蓄積手段により前記記憶装置に蓄積されている画像データは、前記プリンタエンジンでの画像形成に用いられる画像であってコピー用の画像処理が施されている画像形成イメージである。
【００１５】
したがって、例えばカラーの画像データに対する画像種モードの変更に適用可能である。
【００１６】
請求項４記載の発明は、請求項１ないし３のいずれか一記載の画像処理装置において、前記処理条件は、前記外部機器から指定される。
【００１７】
したがって、コピー動作時における画像種モードに関係無く、外部機器から要求された処理条件に従った画像種モードへの変換が可能であることにより、外部機器における画像種モードに関する要求を満足させることが可能になる。
【００１８】
請求項５記載の発明は、請求項１ないし３のいずれか一記載の画像処理装置において、前記処理条件及び前記データ形式変換手段により第２の画像種モードに変換処理した画像データの送信先である前記外部機器は、本装置に設けられている操作部から指定される。
【００１９】
したがって、コピー動作時における画像種モードに関係無く、本装置に設けられている操作部から要求された処理条件に従った画像種モードへの変換が可能であるとともに、本装置に設けられている操作部から画像種モードに変換処理した画像データの送信先である外部機器が指定される。これにより、外部機器に対する画像種モードに関する要求を満足させることが可能になる。
【００２０】
請求項６記載の発明は、請求項１ないし５のいずれか一記載の画像処理装置において、前記データ形式変換手段は、画像データの強弱を調整するフィルタ処理手段と、画像データの濃度特性を調整するγ処理手段とを備え、前記処理条件に応じた係数を選択して前記フィルタ処理手段と前記γ処理手段とを実行することにより、第１の画像種モードで入力された画像データを第２の画像種モードに変換する。
【００２１】
したがって、画像データを第１の画像種モードから第２の画像種モードへと確実に変換することが可能になる。
【００２２】
請求項７記載の発明は、請求項１ないし６のいずれか一記載の画像処理装置において、前記データ形式変換手段は、前記画像蓄積手段により前記記憶装置に蓄積されている画像データの解像度を変換するための解像度変換手段を備えている。
【００２３】
したがって、画像データを所望の解像度の画像データに変換可能になるので、外部機器において要求されるデータ内容を満足させることが可能になる。
【００２４】
請求項８記載の発明は、請求項１ないし７のいずれか一記載の画像処理装置において、前記データ形式変換手段は、前記画像蓄積手段により前記記憶装置に蓄積されている画像データの階調値を変換するための中間調処理手段を備えている。
【００２５】
したがって、画像データを所望の階調値の画像データに変換可能になるので、外部機器において要求されるデータ内容を満足させることが可能になる。
【００２６】
請求項９記載の発明は、請求項１ないし８のいずれか一記載の画像処理装置において、前記データ形式変換手段は、前記画像蓄積手段により前記記憶装置に蓄積されている画像データのファイルフォーマットを変換するための圧縮手段を備えている。
【００２７】
したがって、画像データを所望のファイルフォーマットの画像データに変換可能になるので、外部機器において要求されるデータ内容を満足させることが可能になる。
【００２８】
請求項１０記載の発明のプログラムは、原稿の画像を読み取る画像読取装置と、この読み取った原稿の画像データに基づいて媒体上に画像の形成を行うプリンタエンジンとを備えて、各種の画像種モードに従ったコピー機能を発揮する画像処理装置を制御するコンピュータに読取可能なプログラムにおいて、第１の画像種モードで入力された画像データを記憶装置に蓄積する画像蓄積機能と、この画像蓄積機能により前記記憶装置に蓄積されている画像データを処理条件に従い第２の画像種モードに変換処理するデータ形式変換機能と、このデータ形式変換機能により第２の画像種モードに変換処理した画像データを、ネットワークを介して接続された外部機器に対して送信する画像データ配信機能と、を前記コンピュータに実行させる。
【００２９】
したがって、記憶装置に蓄積されている第１の画像種モードで入力された画像データが、処理条件に従って第２の画像種モードに変換処理され、ネットワークを介して接続された外部機器に対して送信される。これにより、外部機器においては、画像処理装置から所望の画像種モードに変換された画像データを受け取ることが可能になるので、記憶装置に蓄積されている画像データを幅広い用途で利用することが可能になる。また、記憶装置に蓄積済みの画像データに対して画像種モードを変換するので、同一画像データにつき複数の人が異なる画像種モードで画像データを受け取ることが可能になる。
【００３０】
請求項１１記載の発明は、請求項１０記載のプログラムにおいて、前記画像蓄積機能により前記記憶装置に蓄積されている画像データは、前記画像読取装置で読み取られた画像に基づいて生成された画像データであってコピー用の画像処理が施されていない画像データである。
【００３１】
したがって、例えばモノクロの画像データに対する画像種モードの変更に適用可能である。
【００３２】
請求項１２記載の発明は、請求項１０記載のプログラムにおいて、前記画像蓄積機能により前記記憶装置に蓄積されている画像データは、前記プリンタエンジンでの画像形成に用いられる画像であってコピー用の画像処理が施されている画像形成イメージである。
【００３３】
したがって、例えばカラーの画像データに対する画像種モードの変更に適用可能である。
【００３４】
請求項１３記載の発明は、請求項１０ないし１２のいずれか一記載のプログラムにおいて、前記処理条件は、前記外部機器から指定される。
【００３５】
したがって、コピー動作時における画像種モードに関係無く、外部機器から要求された処理条件に従った画像種モードへの変換が可能であることにより、外部機器における画像種モードに関する要求を満足させることが可能になる。
【００３６】
請求項１４記載の発明は、請求項１０ないし１２のいずれか一記載のプログラムにおいて、前記処理条件及び前記データ形式変換手段により第２の画像種モードに変換処理した画像データの送信先である前記外部機器は、本装置に設けられている操作部から指定される。
【００３７】
したがって、コピー動作時における画像種モードに関係無く、本装置に設けられている操作部から要求された処理条件に従った画像種モードへの変換が可能であるとともに、本装置に設けられている操作部から画像種モードに変換処理した画像データの送信先である外部機器が指定される。これにより、外部機器に対する画像種モードに関する要求を満足させることが可能になる。
【００３８】
請求項１５記載の発明は、請求項１０ないし１４のいずれか一記載のプログラムにおいて、前記データ形式変換機能は、画像データの強弱を調整するフィルタ処理機能と、画像データの濃度特性を調整するγ処理機能とを有し、前記処理条件に応じた係数を選択して前記フィルタ処理機能と前記γ処理機能とを前記コンピュータに実行させることにより、第１の画像種モードで入力された画像データを第２の画像種モードに変換する。
【００３９】
したがって、画像データを第１の画像種モードから第２の画像種モードへと確実に変換することが可能になる。
【００４０】
請求項１６記載の発明は、請求項１０ないし１５のいずれか一記載のプログラムにおいて、前記データ形式変換機能は、前記画像蓄積機能により前記記憶装置に蓄積されている画像データの解像度を変換するための解像度変換機能を前記コンピュータに実行させる。
【００４１】
したがって、画像データを所望の解像度の画像データに変換可能になるので、外部機器において要求されるデータ内容を満足させることが可能になる。
【００４２】
請求項１７記載の発明は、請求項１０ないし１６のいずれか一記載のプログラムにおいて、前記データ形式変換機能は、前記画像蓄積機能により前記記憶装置に蓄積されている画像データの階調値を変換するための中間調処理機能を前記コンピュータに実行させる。
【００４３】
したがって、画像データを所望の階調値の画像データに変換可能になるので、外部機器において要求されるデータ内容を満足させることが可能になる。
【００４４】
請求項１８記載の発明は、請求項１０ないし１７のいずれか一記載のプログラムにおいて、前記データ形式変換機能は、前記画像蓄積機能により前記記憶装置に蓄積されている画像データのファイルフォーマットを変換するための圧縮機能を前記コンピュータに実行させる。
【００４５】
したがって、画像データを所望のファイルフォーマットの画像データに変換可能になるので、外部機器において要求されるデータ内容を満足させることが可能になる。
【００４６】
請求項１９記載の発明のコンピュータに読取可能な記憶媒体は、請求項１０ないし１８のいずれか一記載のプログラムを記憶している。
【００４７】
したがって、この記憶媒体に記憶されたプログラムをコンピュータに読み取らせ、実行させることにより、請求項１０ないし１８のいずれか一記載の発明と同様の作用を得ることが可能になる。
【００４８】
請求項２０記載の発明の画像処理方法は、原稿の画像を読み取る画像読取装置と、この読み取った原稿の画像データに基づいて媒体上に画像の形成を行うプリンタエンジンとを備えて、各種の画像種モードに従ったコピー機能を発揮する画像処理装置において用いられる画像処理方法であって、第１の画像種モードで入力された画像データを記憶装置に蓄積する画像蓄積工程と、この画像蓄積工程により前記記憶装置に蓄積されている画像データを処理条件に従い第２の画像種モードに変換処理するデータ形式変換工程と、このデータ形式変換工程により第２の画像種モードに変換処理した画像データを、ネットワークを介して接続された外部機器に対して送信する画像データ配信肯定と、をコンピュータの処理制御により行なう。
【００４９】
したがって、記憶装置に蓄積されている第１の画像種モードで入力された画像データが、処理条件に従って第２の画像種モードに変換処理され、ネットワークを介して接続された外部機器に対して送信される。これにより、外部機器においては、画像処理装置から所望の画像種モードに変換された画像データを受け取ることが可能になるので、記憶装置に蓄積されている画像データを幅広い用途で利用することが可能になる。また、記憶装置に蓄積済みの画像データに対して画像種モードを変換するので、同一画像データにつき複数の人が異なる画像種モードで画像データを受け取ることが可能になる。
【発明の効果】
【００５０】
請求項１記載の発明の画像処理装置によれば、原稿の画像を読み取る画像読取装置と、この読み取った原稿の画像データに基づいて媒体上に画像の形成を行うプリンタエンジンとを備えて、各種の画像種モードに従ったコピー機能を発揮する画像処理装置において、第１の画像種モードで入力された画像データを記憶装置に蓄積する画像蓄積手段と、この画像蓄積手段により前記記憶装置に蓄積されている画像データを処理条件に従い第２の画像種モードに変換処理するデータ形式変換手段と、このデータ形式変換手段により第２の画像種モードに変換処理した画像データを、ネットワークを介して接続された外部機器に対して送信する画像データ配信手段と、を備え、記憶装置に蓄積されている第１の画像種モードで入力された画像データを、処理条件に従って第２の画像種モードに変換処理し、ネットワークを介して接続された外部機器に対して送信することにより、外部機器においては、画像処理装置から所望の画像種モードに変換された画像データを受け取ることができるので、記憶装置に蓄積されている画像データを幅広い用途で利用することができる。また、記憶装置に蓄積済みの画像データに対して画像種モードを変換するので、同一画像データにつき複数の人が異なる画像種モードで画像データを受け取ることができる。
【００５１】
請求項２記載の発明によれば、請求項１記載の画像処理装置において、前記画像蓄積手段により前記記憶装置に蓄積されている画像データは、前記画像読取装置で読み取られた画像に基づいて生成された画像データであってコピー用の画像処理が施されていない画像データであることにより、例えばモノクロの画像データに対する画像種モードの変更に適用することができる。
【００５２】
請求項３記載の発明によれば、請求項１記載の画像処理装置において、前記画像蓄積手段により前記記憶装置に蓄積されている画像データは、前記プリンタエンジンでの画像形成に用いられる画像であってコピー用の画像処理が施されている画像形成イメージであることにより、例えばカラーの画像データに対する画像種モードの変更に適用することができる。
【００５３】
請求項４記載の発明によれば、請求項１ないし３のいずれか一記載の画像処理装置において、前記処理条件は、前記外部機器から指定されることにより、コピー動作時における画像種モードに関係無く、外部機器から要求された処理条件に従った画像種モードへの変換ができるので、外部機器における画像種モードに関する要求を満足させることができる。
【００５４】
請求項５記載の発明によれば、請求項１ないし３のいずれか一記載の画像処理装置において、前記処理条件及び前記データ形式変換手段により第２の画像種モードに変換処理した画像データの送信先である前記外部機器は、本装置に設けられている操作部から指定されることにより、コピー動作時における画像種モードに関係無く、本装置に設けられている操作部から要求された処理条件に従った画像種モードへの変換を行うことができるとともに、本装置に設けられている操作部から画像種モードに変換処理した画像データの送信先である外部機器を指定することができるので、外部機器に対する画像種モードに関する要求を満足させることができる。
【００５５】
請求項６記載の発明によれば、請求項１ないし５のいずれか一記載の画像処理装置において、前記データ形式変換手段は、画像データの強弱を調整するフィルタ処理手段と、画像データの濃度特性を調整するγ処理手段とを備え、前記処理条件に応じた係数を選択して前記フィルタ処理手段と前記γ処理手段とを実行することにより、画像データを第１の画像種モードから第２の画像種モードへと確実に変換することができる。
【００５６】
請求項７記載の発明によれば、請求項１ないし６のいずれか一記載の画像処理装置において、前記データ形式変換手段は、前記画像蓄積手段により前記記憶装置に蓄積されている画像データの解像度を変換するための解像度変換手段を備えていることにより、画像データを所望の解像度の画像データに変換することができるので、外部機器において要求されるデータ内容を満足させることができる。
【００５７】
請求項８記載の発明によれば、請求項１ないし７のいずれか一記載の画像処理装置において、前記データ形式変換手段は、前記画像蓄積手段により前記記憶装置に蓄積されている画像データの階調値を変換するための中間調処理手段を備えていることにより、画像データを所望の階調値の画像データに変換することができるので、外部機器において要求されるデータ内容を満足させることができる。
【００５８】
請求項９記載の発明によれば、請求項１ないし８のいずれか一記載の画像処理装置において、前記データ形式変換手段は、前記画像蓄積手段により前記記憶装置に蓄積されている画像データのファイルフォーマットを変換するための圧縮手段を備えていることにより、画像データを所望のファイルフォーマットの画像データに変換することができるので、外部機器において要求されるデータ内容を満足させることができる。
【００５９】
請求項１０記載の発明のプログラムによれば、原稿の画像を読み取る画像読取装置と、この読み取った原稿の画像データに基づいて媒体上に画像の形成を行うプリンタエンジンとを備えて、各種の画像種モードに従ったコピー機能を発揮する画像処理装置を制御するコンピュータに読取可能なプログラムにおいて、第１の画像種モードで入力された画像データを記憶装置に蓄積する画像蓄積機能と、この画像蓄積機能により前記記憶装置に蓄積されている画像データを処理条件に従い第２の画像種モードに変換処理するデータ形式変換機能と、このデータ形式変換機能により第２の画像種モードに変換処理した画像データを、ネットワークを介して接続された外部機器に対して送信する画像データ配信機能と、を前記コンピュータに実行させ、記憶装置に蓄積されている第１の画像種モードで入力された画像データを、処理条件に従って第２の画像種モードに変換処理し、ネットワークを介して接続された外部機器に対して送信することにより、外部機器においては、画像処理装置から所望の画像種モードに変換された画像データを受け取ることができるので、記憶装置に蓄積されている画像データを幅広い用途で利用することができる。また、記憶装置に蓄積済みの画像データに対して画像種モードを変換するので、同一画像データにつき複数の人が異なる画像種モードで画像データを受け取ることができる。
【００６０】
請求項１１記載の発明によれば、請求項１０記載のプログラムにおいて、前記画像蓄積機能により前記記憶装置に蓄積されている画像データは、前記画像読取装置で読み取られた画像に基づいて生成された画像データであってコピー用の画像処理が施されていない画像データであることにより、例えばモノクロの画像データに対する画像種モードの変更に適用することができる。
【００６１】
請求項１２記載の発明によれば、請求項１０記載のプログラムにおいて、前記画像蓄積機能により前記記憶装置に蓄積されている画像データは、前記プリンタエンジンでの画像形成に用いられる画像であってコピー用の画像処理が施されている画像形成イメージであることにより、例えばカラーの画像データに対する画像種モードの変更に適用することができる。
【００６２】
請求項１３記載の発明によれば、請求項１０ないし１２のいずれか一記載のプログラムにおいて、前記処理条件は、前記外部機器から指定されることにより、コピー動作時における画像種モードに関係無く、外部機器から要求された処理条件に従った画像種モードへの変換ができるので、外部機器における画像種モードに関する要求を満足させることができる。
【００６３】
請求項１４記載の発明によれば、請求項１０ないし１２のいずれか一記載のプログラムにおいて、前記処理条件及び前記データ形式変換手段により第２の画像種モードに変換処理した画像データの送信先である前記外部機器は、本装置に設けられている操作部から指定されることにより、コピー動作時における画像種モードに関係無く、本装置に設けられている操作部から要求された処理条件に従った画像種モードへの変換を行うことができるとともに、本装置に設けられている操作部から画像種モードに変換処理した画像データの送信先である外部機器を指定することができるので、外部機器に対する画像種モードに関する要求を満足させることができる。
【００６４】
請求項１５記載の発明によれば、請求項１０ないし１４のいずれか一記載のプログラムにおいて、前記データ形式変換機能は、画像データの強弱を調整するフィルタ処理機能と、画像データの濃度特性を調整するγ処理機能とを有し、前記処理条件に応じた係数を選択して前記フィルタ処理機能と前記γ処理機能とを前記コンピュータに実行させることにより、第１の画像種モードで入力された画像データを第２の画像種モードに変換することにより、画像データを第１の画像種モードから第２の画像種モードへと確実に変換することができる。
【００６５】
請求項１６記載の発明は、請求項１０ないし１５のいずれか一記載のプログラムにおいて、前記データ形式変換機能は、前記画像蓄積機能により前記記憶装置に蓄積されている画像データの解像度を変換するための解像度変換機能を前記コンピュータに実行させることにより、画像データを所望の解像度の画像データに変換することができるので、外部機器において要求されるデータ内容を満足させることができる。
【００６６】
請求項１７記載の発明によれば、請求項１０ないし１６のいずれか一記載のプログラムにおいて、前記データ形式変換機能は、前記画像蓄積機能により前記記憶装置に蓄積されている画像データの階調値を変換するための中間調処理機能を前記コンピュータに実行させることにより、画像データを所望の階調値の画像データに変換することができるので、外部機器において要求されるデータ内容を満足させることができる。
【００６７】
請求項１８記載の発明によれば、請求項１０ないし１７のいずれか一記載のプログラムにおいて、前記データ形式変換機能は、前記画像蓄積機能により前記記憶装置に蓄積されている画像データのファイルフォーマットを変換するための圧縮機能を前記コンピュータに実行させることにより、画像データを所望のファイルフォーマットの画像データに変換することができるので、外部機器において要求されるデータ内容を満足させることができる。
【００６８】
請求項１９記載の発明のコンピュータに読取可能な記憶媒体によれば、請求項１０ないし１８のいずれか一記載のプログラムを記憶していることにより、この記憶媒体に記憶されたプログラムをコンピュータに読み取らせ、実行させることで、請求項１０ないし１８のいずれか一記載の発明と同様の作用効果を得ることができる。
【００６９】
請求項２０記載の発明の画像処理方法によれば、原稿の画像を読み取る画像読取装置と、この読み取った原稿の画像データに基づいて媒体上に画像の形成を行うプリンタエンジンとを備えて、各種の画像種モードに従ったコピー機能を発揮する画像処理装置において用いられる画像処理方法であって、第１の画像種モードで入力された画像データを記憶装置に蓄積する画像蓄積工程と、この画像蓄積工程により前記記憶装置に蓄積されている画像データを処理条件に従い第２の画像種モードに変換処理するデータ形式変換工程と、このデータ形式変換工程により第２の画像種モードに変換処理した画像データを、ネットワークを介して接続された外部機器に対して送信する画像データ配信肯定と、をコンピュータの処理制御により行ない、記憶装置に蓄積されている第１の画像種モードで入力された画像データを、処理条件に従って第２の画像種モードに変換処理し、ネットワークを介して接続された外部機器に対して送信することにより、外部機器においては、画像処理装置から所望の画像種モードに変換された画像データを受け取ることができるので、記憶装置に蓄積されている画像データを幅広い用途で利用することができる。また、記憶装置に蓄積済みの画像データに対して画像種モードを変換するので、同一画像データにつき複数の人が異なる画像種モードで画像データを受け取ることができる。
【発明を実施するための最良の形態】
【００７０】
本発明の第一の実施の形態を図１ないし図１２に基づいて説明する。本実施の形態は、画像処理装置として、コピー機能、ファクシミリ（ＦＡＸ）機能、プリンタ機能、および入力画像（読み取り原稿画像やプリンタ或いはＦＡＸ機能により入力された画像）を配信する機能、を複合したいわゆる複合機であるデジタルカラー複写機を適用した例を示す。
【００７１】
[１．デジタルカラー複写機１００の構成の説明]
図１は、本実施の形態のデジタルカラー複写機１００のシステム構成を概略的に示すブロック図である。図１に示すデジタルカラー複写機１００は、エンジン部１０１とプリンタコントローラ部１０２とに大別される。エンジン部１０１の全体は、エンジンコントローラ１２により制御され、プリンタコントローラ部１０２の全体は、プリンタコントローラ４により制御される。また、デジタルカラー複写機１００は、エンジン部１０１にＦＡＸコントローラ１３も有しており、デジタルカラー複写機１００のＦＡＸ機能を制御し、ＰＳＴＮ（Public Switched Telephone Network）などの所定のネットワークとの間で画像データの送受信を行う。このようなデジタルカラー複写機１００は、エンジン部１０１とプリンタコントローラ部１０２との動作により、コピー機能、ＦＡＸ機能、プリンタ機能の各機能のほかに画像データ配信機能を複合して備える。
【００７２】
デジタルカラー複写機１００は、コピー機能に用いる要素として、原稿をカラー画像データとして読み取る画像読取装置である読み取りユニット１、読み取りユニット１が読み取った画像データに対し画像処理を施すスキャナ補正部２、スキャナ補正部２から出力されるカラー多値データを圧縮するカラー多値データ固定長圧縮器３、圧縮後のデータを蓄積する記憶装置であるＨＤＤ（Hard Disk Drive）５を有している。
【００７３】
また、デジタルカラー複写機１００は、ＦＡＸ機能に用いる要素として、ＰＳＴＮに接続してＦＡＸ信号の送受信を司るＦＡＸコントローラ１３、このＦＡＸコントローラ１３に設けられていて受信した圧縮されたＦＡＸデータを元のデータに戻すモノクロ２値可変長可逆圧縮データ伸張器を有している。
【００７４】
さらに、デジタルカラー複写機１００は、プリンタ機能に用いる要素として、ＬＡＮ（Local Area Network）等のネットワークに接続された外部機器である外部ＰＣ（Personal Computer）１９との間の通信を行うためのＮＩＣ（Network Interface Controller）１４、ＮＩＣ１４を介して外部ＰＣ１９からの印刷コマンドに従いラスターイメージ処理（ＲＩＰ）を行い、又ＲＩＰ後のデータ専用の圧縮を行うプリンタコントローラ４を有している。
【００７５】
また、デジタルカラー複写機１００は、画像データ配信機能に用いる要素として、上記各機能を用いる際に生成されＨＤＤ５に蓄積されたデータを、転送先の利用端末（本実施の形態では外部ＰＣ１９）に適合するデータ形式に変換するデータ形式変換手段として機能する画像フォーマット変換ユニット１０（後記で詳述）を有している。
【００７６】
また、上記各機能を用いて生成される画像データにより印刷出力（画像形成処理）を行う場合には、ＨＤＤ５に蓄積された圧縮データを用いる。このために、蓄積した圧縮データを元のデータに戻すために、コピー機能の場合にはカラー多値データ固定長伸張器６を、他方、ＦＡＸ、プリンタの各機能の場合にはプリンタコントローラ４にモノクロ２値可変長可逆圧縮データ伸張器とカラー可変長可逆圧縮データ伸張器を設ける。また、エンジン部１０１には、画像形成処理を行うための手段として、伸張後のデータに補正を施すプリンタ補正部７、プリンタエンジンである作像ユニット９を有する。作像ユニット９は、転写紙などの媒体に画像を形成して出力するものであり、作像ユニット９の印刷方式は、電子写真方式のほか、インクジェット方式、昇華型熱転写方式、銀塩写真方式、直接感熱記録方式、溶融型熱転写方式など、さまざまな方式を用いることができる。
【００７７】
プリンタコントローラ４は、各部を集中的に制御するＣＰＵ（Central Processing Unit）、ＣＰＵが実行する起動プログラム等の固定データが書き込まれている記憶媒体であるＲＯＭ（Read Only Memory）、ワークデータ等の可変データを更新自在に書き込むＲＡＭ（Random Access Memory）である半導体メモリ１１からなるマイクロコンピュータ構成とされている。また、ＨＤＤ５には、ＣＰＵが実行するアプリケーションプログラムが記憶されている。すなわち、ユーザが電源を投入するとＣＰＵがＲＯＭ内の起動プログラムを起動させ、ＨＤＤ５よりアプリケーションプログラムを半導体メモリ１１に読み込み、このアプリケーションプログラムを起動させる。これにより、ＣＰＵがアプリケーションプログラムに従って動作することで、プリンタコントローラ４は、プリンタコントローラ部１０２の全体の動作を制御する。なお、ＨＤＤ５に記憶されているアプリケーションプログラムは、ＣＤ−ＲＯＭやＤＶＤ−ＲＯＭ等の光情報記録メディアやＦＤ等の磁気メディア等に記録され、この記録されたアプリケーションプログラムがＨＤＤ５にインストールされる。このため、ＣＤ−ＲＯＭ等の光情報記録メディアやＦＤ等の磁気メディア等の可搬性を有する記憶媒体も、アプリケーションプログラムを記憶する記憶媒体となり得る。さらには、アプリケーションプログラムは、例えばネットワークを介して外部から取り込まれ、ＨＤＤ５にインストールされても良い。
【００７８】
[２．デジタルカラー複写機１００が備える各種機能の説明]
次に、上記した要素により構成されるデジタルカラー複写機１００が備える各種機能（コピー機能、プリンタ機能、ＦＡＸ機能、画像データ配信機能）のうち、本実施の形態における特徴的な機能であるコピー機能および画像データ配信機能を動作とともに、より詳細に説明する。
【００７９】
[２−１．コピー機能]
まず、コピー機能使用時の処理に関して図２を参照しつつ説明する。原稿を読み取る場合、原稿台にセットされた原稿を読み取りユニット１により読取り、Ｒ，Ｇ，Ｂ（Ｒ:RED，Ｇ：GREEN，Ｂ：BLUE）に色分解されたデータがスキャナ補正部２に送られる。図３は、スキャナ補正部２の内部構成を示すブロック図である。図３に示すように、スキャナ補正部２は、スキャナγ処理部２１、変倍処理部２２を備えており、スキャナγ処理部２１でスキャナγ処理、変倍処理部２２で変倍処理を行う。
【００８０】
変倍後の８bitの画像データは、カラー多値データ固定長圧縮器３によって圧縮され、ｎbit（ｎ≦８）のデータに変換される。
【００８１】
カラー多値データ固定長圧縮器３により圧縮された画像データは、汎用バスＩ／Ｆ１５を通してプリンタコントローラ４に送られる。プリンタコントローラ４は、送られたデータを半導体メモリ１１に蓄積する。
【００８２】
蓄積されたデータは、随時ＨＤＤ５に書き込まれる。ＨＤＤ５に蓄積する理由は、プリントアウト時に用紙がつまり、印字が正常に終了しなかった場合でも、再び原稿を読み直すのを避けるため、また電子ソートを行うためである。近年ではこれだけでなく読み取った原稿を蓄積しておき必要なときに再出力する機能がデジタルカラー複写機１００に追加されており、本実施の形態においても、ＨＤＤ５をこうしたコピーサーバ機能のために用いることが可能である。ここに、画像蓄積手段が実現されている。
【００８３】
したがって、本実施の形態のＨＤＤ５に蓄積されている画像データは、ＲＧＢ系からＣＭＹＫ系への色座標系変換や階調補正、画像データの圧縮処理等のコピー用の画像処理が施されていない画像読取イメージである。例えば、モノクロの画像データである。
【００８４】
いずれにしても、ＨＤＤ５からの蓄積データにより印刷出力を行うので、印刷出力する場合は、ＨＤＤ５内の圧縮画像データは、一度半導体メモリ１１に展開され、次に汎用バス１５を通りエンジン部１０１に送られ、エンジン部１０１のカラー多値データ固定長伸張器６により再び８bitの画像データに変換される。
【００８５】
次に、この伸張されたデータはプリンタ補正部７に送られる。図４は、プリンタ補正部７の内部構成を示すブロック図である。図４に示すように、プリンタ補正部７は、プリンタγ処理部７１と中間調処理部７２とを備えており、プリンタγ処理部７１ではプリンタγ補正処理を行う。中間調処理部７２では、後段の作像ユニット９に合わせた中間調処理を行い、作像に用いるデータとして作像ユニット９に送り、転写紙に出力する。
【００８６】
[２−２．画像データ配信機能]
上述したように、入力された画像を圧縮データとしてＨＤＤ５に一旦蓄積した後に、ＨＤＤ５から蓄積したデータを取り出して用いるという方式を採用したシステムにおいては、画像データ配信機能においても、ＨＤＤ５の蓄積データを用いて配信出力を行う。
【００８７】
図５は、画像データ配信時の配信データのフローを図中に一点鎖線にて示したブロック図である。図５に示すように、クライアントとなる外部ＰＣ１９は、デジタルカラー複写機１００から画像データを受け取る（キャプチャする）際のキャプチャ条件（処理条件）を決定し、このキャプチャ条件を提示してデジタルカラー複写機１００に画像データを要求する。
【００８８】
ここで、外部ＰＣ１９側においてデジタルカラー複写機１００から画像データを受け取る（キャプチャする）ためのアプリケーションプログラムを立ち上げた際の画面表示例を図６に示す。外部ＰＣ１９には図６（ａ）に示すような画像データ選択画面ａが表示され、外部ＰＣ１９からデジタルカラー複写機１００のＨＤＤ５に蓄積された画像データを閲覧することができる。外部ＰＣ１９を操作するユーザーは、このような画像データ選択画面ａにおいて、引き取る画像データを選択する。図６（ａ）においては、図中に網掛けで示す「ＤＡＴＡ０００」が選択されている。このようにして引き取る画像データが選択された状態でキャプチャ条件ボタンｂが操作されると、図６（ｂ）に示すキャプチャ条件選択画面ｃが外部ＰＣ１９に表示される。
【００８９】
キャプチャ条件選択画面ｃでは、画像種モード、解像度、中間調処理、出力フォーマット等のキャプチャする時の画像データの条件を選択することができる。本実施の形態においては、画像種モードとしては、文字、文字写真、写真、ＯＣＲの各モードが選択可能である。解像度としては、６００dpi、４００dpi、３００dpi、２００dpiが選択可能である。中間調処理としては、２値、多値が選択可能である。出力フォーマットとしては、ＴＩＦＦ、ＪＰＥＧ、ＪＰＥＧ2000が選択可能である。外部ＰＣ１９を操作するユーザーは、このようなキャプチャ条件選択画面ｃにおいて、画像種モード、解像度、中間調処理、出力フォーマット等のキャプチャする時の画像データの条件を選択する。図６（ｂ）においては、図中に網掛けで示すように、
画像種モード      ：写真
解像度            ：２００dpi
中間調処理        ：多値
出力フォーマット  ：ＪＰＥＧ
がキャプチャ条件として選択されている。このようにしてキャプチャ条件が選択された状態でキャプチャボタンｄが操作されると、選択されたキャプチャ条件がデジタルカラー複写機１００のプリンタコントローラ４に渡される。
【００９０】
キャプチャ条件を受け取ったプリンタコントローラ４は、ＨＤＤ５に蓄積されている画像データの属性をみて、画像フォーマット変換ユニット１０に対して、どのような画像処理を行うか命令を行う。
【００９１】
画像フォーマット変換ユニット１０は、プリンタコントローラ４からの命令を受けて選択されたキャプチャ条件に従って画像処理（例えば、画像種モードが写真モードの場合、写真モード用のγ処理、写真モード用のフィルタ処理等）を行い、ユーザーの望む画像フォーマットに変換して外部ＰＣ１９に画像データを送信する。ここに、画像データ配信手段が実現されている。
【００９２】
ここで、図７は画像フォーマット変換ユニット１０の構成を示すブロック図である。図７に示すように、配信画像データのデータ形式を変換する画像フォーマット変換ユニット１０においては、プリンタコントローラ４からの命令を受けて、伸張手段１０ａ、解像度変換手段１０ｂ、フィルタ処理手段１０ｃ、γ処理手段１０ｄ、中間調処理手段１０ｅ、圧縮手段１０ｆが、実行される。伸張手段１０ａは、圧縮されてＨＤＤ５に蓄積されている画像データを伸張する。この伸張後の画像データは、解像度変換手段１０ｂで所定の解像度に解像度変換される。その後、フィルタ処理手段１０ｃで画像データの強弱を調整するフィルタ処理を施され、γ処理手段１０ｄで画像データの濃度特性の調整を実行され、中間調処理手段１０ｅで多値の画像データを２値の画像データに量子化した後、圧縮手段１０ｆにより所定の圧縮符号化形式で圧縮符号化され、外部ＰＣ１９に送信される。これにより、ＨＤＤ５に蓄積されていた第１のデータ形式の画像データは、そのデータ形式が変更されて第２のデータ形式の画像データとして出力される。
【００９３】
ここで、解像度変換手段１０ｂによるデータ形式の変換について説明する。解像度変換手段１０ｂは、ＨＤＤ５に蓄積された画像データの解像度と配信先の利用端末が必要とする解像度が異なる場合、配信の対象となる画像データを指定する解像度へ変換を行うことにより、外部ＰＣ１９等の利用端末の利用に供するようにしたものである。
【００９４】
図８は、解像度変換手段１０ｂによる解像度変換機能を示す説明図である。図８（ａ）に示すように、解像度変換手段１０ｂは、入力側から主走査解像度変換ブロック１０４と副走査解像度変換ブロック１０５の順に各変換処理ブロックを備え、主走査解像度変換ブロック１０４は、図８（ｂ）に示すように、主走査画素分のＦＦ１０６と補間画素算出部１０７を有し、副走査解像度変換ブロック１０５は、図８（ｃ）に示すように、所定ライン分の副走査ライン蓄積メモリ１０８と補間画素算出部１０９を有する。なお、図８においては、対象画素データが多値データであり、主走査と副走査双方に任意の解像度への変換が可能な方式により実施する例を示す。
【００９５】
図８に示す解像度変換手段１０ｂの動作としては、入力される多値データに対して主走査解像度変換ブロック１０４では、入力多値データを指定された解像度（ｄｐｉ）へのデータ数の変換するために補間画素算出部１０７で主走査方向に画素補間を行う。ここで補間する画素データ値の算出に用いる方式としては、一般的な最近接画素置換法、隣接２画素加重平均法、３次関数コンボリューション法などを適用することにより実施することが可能である。主走査方向への解像度変換後の主走査方向の多値データに対して副走査解像度変換ブロック１０５にて、主走査解像度変換後の１ライン分のデータを蓄積可能なラインメモリを複数ライン分もった副走査ライン蓄積メモリ１０８から蓄積された、副走査方向の参照画素データを元に、補間画素算出部１０９により補間するラインのデータ値の算出を行う。ここに用いる算出方式は、主走査方向と同様に最近接画素置換法、隣接２画素加重平均法、３次関数コンボリューション法などを適用することにより実施することが可能である。
【００９６】
したがって、画像データを所望の解像度の画像データに変換可能になるので、外部機器において要求されるデータ内容を満足させることが可能になる。
【００９７】
次に、フィルタ処理手段１０ｃによるデータ形式の変換について説明する。フィルタ処理は、画像データのＭＴＦを変調させるものであるが、もとの画像データよりもＭＴＦ値を高めて画像のエッジを強調する場合と、ＭＴＦ値を下げて画像を平滑化する場合の２種類がある。
【００９８】
画像データのＭＴＦを高める場合は、基画像の画像周波数を実線、フィルタ処理後の画像周波数を破線で示すと、図９（ａ）に示しているように、画像周波数の隆起を強調するような処理を施す。但し、縦軸は画像濃度のダイナミックレンジとし、横軸は画像データのラスタ形式参照を示している。
【００９９】
同様に、画像データのＭＴＦを平滑化する場合は、図９（ｂ）に示しているように、画像周波数の隆起が鈍るような処理を施す。実際の処理としては、２次元の画像データのラスタ形式方向をライン方向（ｘ方向）、他方向をｙ方向とし、画像データをライン単位で扱い、注目画素値を周辺の画素値を基に算出する。
【０１００】
図９（ｃ）は、注目画素を中心とした周辺５×５画素を、注目画素をＸｎ，ｍとして、周辺画素を記号化して表している。
【０１０１】
画像データのＭＴＦを高める場合は、強調する必要がある画像周波数の微分係数に基づき、画像データの解像度を基調としてマトリクス状に配置した係数（以下、マトリクス係数という）を算出する。そのマトリクス係数を、周辺画素記号と同形式に、Ａｍ−２，ｎ−２，Ａｍ−２，ｎ−１，…，Ａｍ，ｎ,Ａｍ+２，ｎ+１，Ａｍ+２，ｎ+２と記号化すると、画像データのＭＴＦを高める場合のフィルタ処理後の注目画素値Ｙは、次のような演算式で表せる。
【０１０２】
Ｂ＝（Ｘｍ−２，ｎ−２×Ａｍ−２，ｎ−２）＋（Ｘｍ−２，ｎ−１×Ａｍ−２，ｎ−１）＋…＋（Ｘｍ+２，ｎ+２×Ａｍ+２，ｎ+２）            ・・・（１）
Ｄ＝Ｂ×Ｃ                                  ・・・（２）
Ｙ＝Ｄ＋Ｘｎ，ｍ                              ・・・（３）
【０１０３】
（１）式は、微分係数により求めたマトリクス係数と画像データを、行列積の演算を行ったものである。この（１）式により求められたＢの値が、フィルタ処理による画像の強調成分である。また、（２）式はその強調成分を任意に増減幅する項である。（２）式により求まったフィルタ処理による強調値を、注目画素値に加算することで、最終的な注目画素値を算出する（（３）式）。上記のような演算により、画像データの全画素を変換することで、画像データのＭＴＦを高める操作を行う。
【０１０４】
画像データを平滑化する場合は、注目画素とその周辺画素を加算して画素数Ｅで除算することにより、注目画素とその周辺画素との平均値を求める。このような演算により、画像データの全画素を変換することで、画像データの平滑化の操作を行う。平滑化の度合いを調整する意味で、注目画素や周辺画素の重みを単純に等価として平均化せず、各画素間に隔たりを持たせるのであれば、下記（４）式のようにマトリクス係数に任意の整数を代入することで、注目画素値Ｙを調整することが可能である。
【０１０５】
Ｙ＝（Ｘｍ−２，ｎ−２×Ａｍ−２，ｎ−２）＋（Ｘｍ−２，ｎ−１×Ａｍ−２，ｎ−１）＋…＋（Ｘｍ+２，ｎ+２×Ａｍ+２，ｎ+２）／Ｅ            ・・・（４）
【０１０６】
以上のような処理により、フィルタ処理手段１０ｃでは、多値の画像データに対し、ＭＴＦの変調を可能とするフィルタ処理機能を実現できる。これにより、もとの画像が文字中心の画像であれば、ＭＴＦの強調を行うことで画像の品質が向上する。また、画像が絵柄中心であれば、若干の平滑化により滑らかさを与えることで画像の品質が向上する。このように画像の種類に応じたフィルタ係数を選択することで高品質な画像の取得が可能となる。
【０１０７】
次に、γ処理手段１０ｄによるデータ形式の変換について説明する。γ処理手段１０ｄは、画像の濃度勾配や濃度特性を可変とするものである。図１０に示すように、図１０（ａ）の実線がγ変換テーブルとすると、グラフに従って、もとの画像データ（横軸）に相当する値をγ変換後の画像データ（縦軸）の値に変換するだけである。この変換テーブルの曲線を変更して、狙いの濃度分布をもつ画像データに変更することが可能となる。例えば、図１０（ａ）の破線で示しているようなγ変換テーブルにすれば、実線で示しているγ変換テーブルに比べ、γ変換後の画像データを濃度勾配が滑らかな画像データに変換することができる。但し、図１０（ａ）において、縦軸、横軸ともに図の矢印側になるにつれ濃度が高くなる。
【０１０８】
γ変換テーブルの作成方法は、便宜上、図１０（ｂ）に示してある原点から４５°方向に延びるリニアなγ変換テーブル（実線）を、もとに説明する。
【０１０９】
濃度特性を変えずに画像の全体濃度を上下させる場合は、図１０（ｂ）に示すように、グラフの横軸方向にγ変換テーブル（実線）のように平行移動させればよく、画像の濃度勾配を変える場合は、γ変換テーブルの傾きをγ変換テーブル（破線）のように変更すればよい。また、濃度特性を変更する場合は、図１０（ａ）にあるような、連続する曲線で示せるようなγ変換テーブルの湾曲具合を変更すれば、任意の濃度特性が得られる。
【０１１０】
これらの手段により、γ処理手段１０ｄでは、多値の画像データに対し、画像データの濃度勾配及び濃度特性の変更を可能とするγ変換処理機能を実現できる。このことにより、画像の種類に応じたγカーブを選択することで高品質な画像の取得が可能となる。
【０１１１】
次に、中間調処理手段１０ｅによるデータ形式の変換について説明する。中間調処理手段１０ｅは、多値画像データに対し、中間調処理を行って２値化する。中間調処理は、多値画像データを２値若しくはそれに近い少値の階調数に量子化する処理であるが、その具体的方法は様々存在する。ここでは、一般的に用いられる、単純量子化法、ディザ法、誤差拡散法について説明する。但し、量子化階調数は、便宜上２値とする。
【０１１２】
まず、単純量子化法は、多値の画像データのダイナミックレンジ中の任意の値を閾値として、画像データを２階調化するものである。例えば、ダイナミックレンジが０〜２５５の２５６階調である多値の画像データを０と１の値に量子化する場合、閾値が１２８であるとすると、画像データが１００であれば量子化値は０、２００であれば量子化値は１となる。
【０１１３】
ディザ法は、マトリクス状になった閾値を用いて、図１１に示すように、図１１（ｂ）の閾値マトリクス８１を１閾値１画素というように、図１１（ａ）の画像データ８２にタイル状に当てはめていき、画素毎に２階調化を行うものである。マトリクス内の閾値を、画像データのダイナミックレンジの範囲でばらつくような閾値にすれば、画像の解像度とトレードオフとなるが、２階調化された画像データでも中間濃度が再現可能となる。
【０１１４】
誤差拡散法は、単純量子化法と同様に、任意の閾値にて２階調化を行うが、量子化する際に発生する量子化誤差を蓄積し、処理を行っている注目画素は、ラスタ形式順で既に量子化処理が終了し誤差が確定している周辺画素の誤差を加味して量子化を行うことにより、画像データトータルでの量子化による誤差を最小限に留めようとする中間調処理である。
【０１１５】
量子化する場合に発生する誤差とは、例えば、ダイナミックレンジが０〜２５５の２５６階調である多値の画像データを０と１の値に量子化する場合、画像データが１００であれば量子化値は０となるが、画像データには１００という中間濃度情報があったにも関わらず、最低値の０扱いとなってしまい、画像データの中間濃度情報が失われる。ゆえに、この画像データの量子化誤差は“１００＝１００−０”（ダイナミックレンジの最低値）となる。また、画像データが２００であれば量子化値は１となるが、この場合も２００という中間濃度情報があったにも関わらず、１という最高値扱いになってしまうので、この画像データの量子化誤差は“−５５＝２００−２５５”（ダイナミックレンジの最高値）となる。
【０１１６】
これらの量子化誤差値を、画素毎に量子化処理終了後、画像データとは別のデータとして蓄積しておくと、図１２に示すように、画像データ９１はラスタ形式で順に処理されることを考えれば、網掛してある画素９２については、既に量子化の誤差は確定済みであり蓄積されていることになる。誤差拡散法では、誤差の確定している注目画素９３周辺の誤差値の平均を注目画素値に加算してから２階調化を行うことで、画像データトータルでの量子化誤差による中間濃度情報の欠落を、緩和することを可能としている。
【０１１７】
これらの方法により、中間調処理手段１０ｅでは、多値の画像データに対し、画像データの２値化処理を行うことができる。これによりデータ量を減少させ、かつ画像の種類に応じた中間調処理を選択することで、高品質な画像の取得が可能となる。
【０１１８】
したがって、画像データを所望の階調値の画像データに変換可能になるので、外部機器において要求されるデータ内容を満足させることが可能になる。
【０１１９】
次に、具体的に外部ＰＣ１９などに画像データを出力する場合の処理について説明する。例えば外部ＰＣ１９において、
画像種モード      ：写真
解像度            ：２００dpi
中間調処理        ：多値
出力フォーマット  ：ＪＰＥＧ
がキャプチャ条件として選択され、プリンタコントローラ４に渡された場合を想定する。
【０１２０】
この場合に、画像フォーマット変換ユニット１０では、要求に応じた処理条件（パラメータ）を設定して画像処理を施す。
【０１２１】
この例においては、ユーザーの解像度の要求とＨＤＤ５に蓄積されている画像データの解像度（６００dpiとする）から、解像度変換手段１０ｂで解像度変換に用いる解像度変換パラメータ値が決定する。即ち、６００dpiから２００dpiへの解像度変換が施される。
【０１２２】
続く、フィルタ処理手段１０ｃ、γ処理手段１０ｄでは、外部ＰＣ１９からの要求にあわせた係数が選択される。この例においては、クライアントが要求した画像種モードが写真モードであるので、写真モード用の係数がそれぞれ選択される。
【０１２３】
また、中間調処理手段１０ｅでは、多値が選択されているので、処理は行われない。
【０１２４】
次の圧縮手段１０ｆでは、ＪＰＥＧファイル形式への変換処理が施される。したがって、画像データを所望のファイルフォーマットの画像データに変換可能になるので、外部機器において要求されるデータ内容を満足させることが可能になる。
【０１２５】
これにより、デジタルカラー複写機１００のＨＤＤ５に蓄積されている画像データ（ＲＧＢ系からＣＭＹＫ系への色座標系変換や階調補正、画像データの圧縮処理等のコピー用の画像処理が施されていない画像読取イメージ）を、外部ＰＣ１９側からのキャプチャ条件に従って画像フォーマットを変換した状態で、外部ＰＣ１９側においてデジタルカラー複写機１００から受け取る（キャプチャする）ことができる。
【０１２６】
ここに、記憶装置に蓄積されている第１の画像種モードで入力された画像データが、処理条件に従って第２の画像種モードに変換処理され、ネットワークを介して接続された外部機器に対して送信される。これにより、外部機器においては、画像処理装置から所望の画像種モードに変換された画像データを受け取ることが可能になるので、記憶装置に蓄積されている画像データを幅広い用途で利用することが可能になる。また、記憶装置に蓄積済みの画像データに対して画像種モードを変換するので、同一画像データにつき複数の人が異なる画像種モードで画像データを受け取ることが可能になる。
【０１２７】
また、コピー動作時における画像種モードに関係無く、外部機器から要求された処理条件に従った画像種モードへの変換が可能であることにより、外部機器における画像種モードに関する要求を満足させることが可能になる。
【０１２８】
本発明の第二の実施の形態を図１３ないし図１５に基づいて説明する。なお、本発明の第一の実施の形態において説明した部分と同一部分については同一符号を用い、説明も省略する。第一の実施の形態においては、ＨＤＤ５に蓄積されている画像データはコピー用の画像処理が施されていない画像読取イメージであったが、本実施の形態のＨＤＤ５に蓄積されている画像データはコピー用の画像処理が施されている画像形成イメージである点で異なるものである。
【０１２９】
[１．デジタルカラー複写機１００が備える各種機能の説明]
デジタルカラー複写機１００が備える各種機能（コピー機能、プリンタ機能、ＦＡＸ機能、画像データ配信機能）のうち、本実施の形態における特徴的な機能であるコピー機能および画像データ配信機能を動作とともに、より詳細に説明する。
【０１３０】
[１−１．コピー機能]
本実施の形態におけるコピー機能使用時の処理に関して説明する。図２で説明したように、原稿を読み取る場合、原稿台にセットされた原稿を読み取りユニット１により読取り、Ｒ，Ｇ，Ｂ（Ｒ:RED，Ｇ：GREEN，Ｂ：BLUE）に色分解されたデータがスキャナ補正部２に送られる。図１３は、本実施の形態のスキャナ補正部２の内部構成を示すブロック図である。図１３に示すように、スキャナ補正部２は、第一の実施の形態で説明したスキャナγ処理部２１、変倍処理部２２に加えて、プリンタγ処理部２３と中間調処理部２４を備えており、スキャナγ処理部２１でスキャナγ処理、変倍処理部２２で変倍処理、プリンタγ処理部２３でプリンタγ処理、中間調処理部２４で階調処理を行う。
【０１３１】
階調処理後の多値または２値の画像データは、カラー多値データ固定長圧縮器３によって圧縮され、ｎbit（ｎ≦８）のデータに変換される。なお、２値の画像データは、非圧縮のパスを通ることになる。
【０１３２】
カラー多値データ固定長圧縮器３により圧縮された画像データは、汎用バスＩ／Ｆ１５を通してプリンタコントローラ４に送られる。プリンタコントローラ４は、半導体メモリ１１を持ち、送られたデータをここに蓄積する。
【０１３３】
蓄積されたデータは、随時ＨＤＤ５に書き込まれる。ＨＤＤ５に蓄積する理由は、プリントアウト時に用紙がつまり、印字が正常に終了しなかった場合でも、再び原稿を読み直すのを避けるため、また電子ソートを行うためである。近年ではこれだけでなく読み取った原稿を蓄積しておき必要なときに再出力する機能が追加されており、本実施の形態においても、こうしたコピーサーバ機能に用いるようにすることが可能である。
【０１３４】
したがって、本実施の形態のＨＤＤ５に蓄積されている画像データは、ＲＧＢ系からＣＭＹＫ系への色座標系変換や階調補正、画像データの圧縮処理等のコピー用の画像処理が施されている画像形成イメージである。例えば、カラーの画像データである。
【０１３５】
いずれにしても、ＨＤＤ５からの蓄積データにより印刷出力を行うので、印刷出力する場合は、ＨＤＤ５内の圧縮画像データは、一度半導体メモリ１１に展開され、次に汎用バス１５を通りエンジン部１０１に送られ、エンジン部１０１のカラー多値データ固定長伸張器６により再び多値または２値の画像データに変換される。
【０１３６】
次に、この伸張されたデータはプリンタ補正部７に送られる。図１４は、プリンタ補正部７の内部構成を示すブロック図である。図１４に示すように、プリンタ補正部７は、プリンタγ処理部７１と中間調処理部７２とを備えており、プリンタγ処理部７１ではプリンタγ補正処理を行う。中間調処理部７２では、後段の作像ユニット９に合わせた中間調処理を行い、作像に用いるデータとして作像ユニット９に送り、転写紙に出力する。なお、ＨＤＤ５内の画像データがスキャナ補正部２にてプリンタγ、階調処理が施されている場合には、プリンタγ処理部７１と中間調処理部７２とにおける所定の処理は行わない。
【０１３７】
[１−２．画像データ配信機能]
上述したように、入力された画像を圧縮データとしてＨＤＤ５に一旦蓄積した後に、ＨＤＤ５から蓄積したデータを取り出して用いるという方式を採用したシステムにおいては、画像データ配信機能においても、ＨＤＤ５の蓄積データを用いて配信出力を行う。
【０１３８】
図５に示したように、クライアントとなる外部ＰＣ１９は、デジタルカラー複写機１００から画像データを受け取る（キャプチャする）際のキャプチャ条件を決定し、このキャプチャ条件を提示してデジタルカラー複写機１００に画像データを要求する。
【０１３９】
キャプチャ条件を受け取ったプリンタコントローラ４は、ＨＤＤ５に蓄積されている画像データの属性をみて、画像フォーマット変換ユニット１０に対して、どのような画像処理を行うか命令を行う。
【０１４０】
画像フォーマット変換ユニット１０は、プリンタコントローラ４からの命令を受けて選択されたキャプチャ条件に従って画像処理（例えば、画像種モードが写真モードの場合、写真モード用のγ処理、写真モード用のフィルタ処理等）を行い、クライアントの望む画像フォーマットに変換して外部ＰＣ１９に画像データを送信する。
【０１４１】
ここで、図１５は画像フォーマット変換ユニット１０の構成を示すブロック図である。図１５に示すように、配信画像データのデータ形式を変換する画像フォーマット変換ユニット１０においては、プリンタコントローラ４からの命令を受けて、伸張手段１０ａ、多値変換手段１０ｇ、解像度変換手段１０ｂ、フィルタ処理手段１０ｃ、γ処理手段１０ｄ、中間調処理手段１０ｅ、圧縮手段１０ｆが、実行される。伸張手段１０ａは、圧縮されてＨＤＤ５に蓄積されている画像データを伸張する。この伸張後の画像データは、多値変換手段１０ｇで多値化され、解像度変換手段１０ｂで所定の解像度に解像度変換される。その後、フィルタ処理手段１０ｃで画像データの強弱を調整するフィルタ処理を施され、γ処理手段１０ｄで画像データの濃度特性の調整を実行され、中間調処理手段１０ｅで多値の画像データを２値の画像データに量子化した後、圧縮手段１０ｆにより所定の圧縮符号化形式で圧縮符号化され、外部ＰＣ１９に送信される。これにより、ＨＤＤ５に蓄積されていた第１のデータ形式の画像データは、そのデータ形式が変更されて第２のデータ形式の画像データとして出力される。
【０１４２】
次に、本実施の形態の画像フォーマット変換ユニット１０における特徴的な機能である多値変換手段１０ｇについて説明する、なお、解像度変換手段１０ｂ、フィルタ処理手段１０ｃ、γ処理手段１０ｄ、中間調処理手段１０ｅについては、前述したので、ここでの説明は省略する
多値変換手段１０ｇは、ＨＤＤ５に蓄積された２値のプリント出力データを配信の対象画像データとする場合、その多値変換機能によって、ｍ値データに対してｎ値（ｎ＞ｍ）データへ階調数を変換する方式を用いることにより、外部ＰＣ１９等の利用端末の利用に供するようにしたものである。
【０１４３】
ここで、一例として対象画像データが２値データの場合、多値変換機能によって、２５６値データへ階調数を変換する方式を用いる場合について説明する。下記式（５）は、多値変換に用いる演算式を示すものである。
【０１４４】
【数１】
2005051764.tif 000003
【０１４５】
対象となる画像データが２値データの場合、１bitの注目画素データの周辺（２次元マトリックス内）の画素を参照して、上記式（５）に示す空間フィルタによる処理を施す。１bitデータはその値が０の場合は０ｘ００、１の場合は０ｘＦＦとして８bitへ変換し、上記式（５）に付記したフィルタ（マトリックス）係数と式（５）の演算式に基づき、フィルタ演算を行う。この演算を行うことにより注目画素データを２値から２５６値へ変換することが可能になる。
【０１４６】
また、データが２，４，３bitなど８bit（２５６値）より小さい場合においても、平滑化をおこなう空間フィルタを施して８bitへ変換を行う。なお、入力データが多値データの場合は特に変換を行わない。
【０１４７】
次に、具体的に外部ＰＣ１９などに画像データを出力する場合の処理について説明する。例えば外部ＰＣ１９において、
画像種モード      ：写真
解像度            ：２００dpi
中間調処理        ：多値
出力フォーマット  ：ＪＰＥＧ
がキャプチャ条件として選択され、プリンタコントローラ４に渡された場合を想定する。
【０１４８】
この場合に、画像フォーマット変換ユニット１０では、要求に応じた処理条件（パラメータ）を設定して画像処理を施す。
【０１４９】
この例においては、ＨＤＤ５に蓄積されている画像データ（画像形成イメージ）を多値変換手段１０ｇで多値化した後、後述する処理が施される。
【０１５０】
クライアントの解像度の要求とＨＤＤ５に蓄積されている画像データの解像度（６００dpiとする）から、解像度変換手段１０ｂで解像度変換に用いる解像度変換パラメータ値が決定する。即ち、６００dpiから２００dpiへの解像度変換が施される。
【０１５１】
続く、フィルタ処理手段１０ｃ、γ処理手段１０ｄでは、外部ＰＣ１９からの要求にあわせた係数が選択される。この例においては、クライアントが要求した画像種モードが写真モードであるので、写真モード用の係数がそれぞれ選択される。
【０１５２】
また、中間調処理手段１０ｅでは、多値が選択されているので、処理は行われない。次の圧縮手段１０ｆでは、ＪＰＥＧファイル形式への変換処理が施される。
【０１５３】
これにより、デジタルカラー複写機１００のＨＤＤ５に蓄積されている画像データ（ＲＧＢ系からＣＭＹＫ系への色座標系変換や階調補正、画像データの圧縮処理等のコピー用の画像処理が施されている画像形成イメージ）を、外部ＰＣ１９側からのキャプチャ条件に従って画像フォーマットを変換した状態で、外部ＰＣ１９側においてデジタルカラー複写機１００から受け取る（キャプチャする）ことができる。
【０１５４】
ここに、記憶装置に蓄積されている第１の画像種モードで入力された画像データが、処理条件に従って第２の画像種モードに変換処理され、ネットワークを介して接続された外部機器に対して送信される。これにより、外部機器においては、画像処理装置から所望の画像種モードに変換された画像データを受け取ることが可能になるので、記憶装置に蓄積されている画像データを幅広い用途で利用することが可能になる。また、記憶装置に蓄積済みの画像データに対して画像種モードを変換するので、同一画像データにつき複数の人が異なる画像種モードで画像データを受け取ることが可能になる。
【０１５５】
また、コピー動作時における画像種モードに関係無く、外部機器から要求された処理条件に従った画像種モードへの変換が可能であることにより、外部機器における画像種モードに関する要求を満足させることが可能になる。
【０１５６】
なお、各実施の形態においては、外部ＰＣ１９側でキャプチャ条件を設定してデジタルカラー複写機１００から画像データを受け取る（キャプチャする）するようにしたが、これに限るものではない。例えば、デジタルカラー複写機１００の操作部（オペレーションパネル）で配信条件（処理条件）を設定し、所定の外部ＰＣ１９に画像データを配信するようにしても良い。
【０１５７】
ここで、デジタルカラー複写機１００から所定の外部ＰＣ１９に画像データを配信するための「ドキュメントボックスモードキー」ｋを選択した際のデジタルカラー複写機１００の操作部（オペレーションパネル）Ｐの表示例を図１６に示す。操作部（オペレーションパネル）Ｐには図１６（ａ）に示すような画像データ選択画面ｅが表示され、デジタルカラー複写機１００のＨＤＤ５に蓄積された画像データを閲覧することができる。デジタルカラー複写機１００の操作者は、このような画像データ選択画面ｅにおいて、引き取る画像データを選択する。図１６（ａ）においては、図中に網掛けで示す「ＤＡＴＡ００２」が選択されている。また、デジタルカラー複写機１００の操作者は、このような画像データ選択画面ｅの配信先指定欄ｆにおいて、配信先も指定する。図１６（ａ）においては、配信先をＥメールアドレスで指定しているが，ネットワークに繋がっているＰＣ名を指定してやっても良い。このようにして配信する画像データが選択され、配信先が指定された状態で配信条件ボタンｈが操作されると、図１６（ｂ）に示す配信条件選択画面ｉが操作部（オペレーションパネル）Ｐに表示される。
【０１５８】
配信条件選択画面ｉでは、画像種モード、解像度、中間調処理、出力フォーマット等のキャプチャする時の画像データの条件を選択することができる。本実施の形態においては、画像種モードとしては、文字、文字写真、写真、ＯＣＲの各モードが選択可能である。解像度としては、６００dpi、４００dpi、３００dpi、２００dpiが選択可能である。中間調処理としては、２値、多値が選択可能である。出力フォーマットとしては、ＴＩＦＦ、ＪＰＥＧ、ＪＰＥＧ2000が選択可能である。外部ＰＣ１９を操作するクライアントは、このようなキャプチャ条件選択画面ｃにおいて、画像種モード、解像度、中間調処理、出力フォーマット等のキャプチャする時の画像データの条件を選択する。図１６（ｂ）においては、図中に網掛けで示すように、
画像種モード      ：文字
解像度            ：４００dpi
中間調処理        ：２値
出力フォーマット  ：ＴＩＦＦ
が配信条件として選択されている。このようにして配信条件が選択された状態で配信ボタンｊが操作されると、選択された配信条件がデジタルカラー複写機１００のプリンタコントローラ４に渡される。
【０１５９】
配信条件を受け取ったプリンタコントローラ４は、ＨＤＤ５に蓄積されている画像データの属性をみて、画像フォーマット変換ユニット１０に対して、どのような画像処理を行うか命令を行う。
【０１６０】
ここに、コピー動作時における画像種モードに関係無く、本装置に設けられている操作部から要求された処理条件に従った画像種モードへの変換が可能であるとともに、本装置に設けられている操作部から画像種モードに変換処理した画像データの送信先である外部機器が指定される。これにより、外部機器に対する画像種モードに関する要求を満足させることが可能になる。
【図面の簡単な説明】
【０１６１】
【図１】本発明の第一の実施の形態のデジタルカラー複写機のシステム構成を概略的に示すブロック図である。
【図２】コピー機能使用時の処理フローを図中に一点鎖線にて示したブロック図である。
【図３】スキャナ補正部の内部構成を示すブロック図である。
【図４】プリンタ補正部の内部構成を示すブロック図である。
【図５】画像データ配信時の配信データのフローを図中に一点鎖線にて示したブロック図である。
【図６】外部ＰＣ側におけるデジタルカラー複写機から画像データを受け取る（キャプチャする）ための画面表示例を示す正面図である。
【図７】画像フォーマット変換ユニットの構成を示すブロック図である。
【図８】解像度変換手段による解像度変換機能を示す説明図である。
【図９】フィルタ処理器による処理について説明する説明図である。
【図１０】γ処理手段による処理について説明する説明図である。
【図１１】中間調処理手段によるディザ法について説明する説明図である。
【図１２】中間調処理手段による誤差拡散法について説明する説明図である。
【図１３】本発明の第二の実施の形態のデジタルカラー複写機のスキャナ補正部の内部構成を示すブロック図である。
【図１４】プリンタ補正部の内部構成を示すブロック図である。
【図１５】画像フォーマット変換ユニットの構成を示すブロック図である。
【図１６】デジタルカラー複写機から外部ＰＣ側に画像データを配信するための画面表示例を示す正面図である。
【符号の説明】
【０１６２】
１        画像読取装置
５        記憶装置、記憶媒体
９        プリンタエンジン
１０      データ形式変換手段
１０ｂ    解像度変換手段
１０ｃ    フィルタ処理手段
１０ｄ    γ処理手段
１０ｅ    中間調処理手段
１０ｆ    圧縮手段
１９      外部機器
１００    画像処理装置
Ｐ        操作部
【図１】
2005051764.tif 000004
【図２】
2005051764.tif 000005
【図３】
2005051764.tif 000006
【図４】
2005051764.tif 000007
【図５】
2005051764.tif 000008
【図６】
2005051764.tif 000009
【図７】
2005051764.tif 000010
【図８】
2005051764.tif 000011
【図９】
2005051764.tif 000012
【図１０】
2005051764.tif 000013
【図１１】
2005051764.tif 000014
【図１２】
2005051764.tif 000015
【図１３】
2005051764.tif 000016
【図１４】
2005051764.tif 000017
【図１５】
2005051764.tif 000018
【図１６】
2005051764.tif 000019